(57)【要約】【課題】カード型周辺機器の装脱が容易であり、かつ、カード型周辺機器の存在を隠す上で有利な監視カメラを提供する。【解決手段】監視カメラ１０は外装を構成するケース１６を有し、ケース１６の後面１６０４は、上部側に位置する上部後面１６２０と、下端側に位置する下端後面１６２２とを有し、上部後面１６２０は下端後面１６２２よりも後方に位置している。ＰＣカード６４が装着されるカードスロット６２は、収容凹部６２０４とカードコネクタ６２０６などを含んで構成され、収容凹部６２０４はケース１６の後部でケース１６の前後方向に延在して設けられている。下端後面１６２２にカードスロット６２の開口６２０２が位置し、上部後面１６２０に各種コネクタが設けられている。【選択図】図４
2007150790.tif 000002
【特許請求の範囲】
【請求項１】
外装を構成し、前方に臨む前面と、後方に臨む後面とを有するケースと、
被写体像を撮像する撮像素子と、
前方に臨むように前記ケースに取着され被写体像を前記撮像素子に導く撮影光学系と、
前記撮像素子で生成された撮像信号に基づいて画像データを生成する画像処理部と、
前記撮像素子および前記画像処理部に電源を供給する電源部と、
前記ケースの上面を上方に向けた状態で構造物に取り付けられる監視カメラであって、
前記ケースの後部に前記ケースの前後方向に延在しカード型周辺機器を装脱可能に装着するカードスロットが前記ケースの後面の下部に開口して設けられ、
前記ケースの後面で前記開口よりも上方の箇所に、前記電源部に電力を供給する電源ケーブル接続用のコネクタが設けられ、
前記カードスロットに装着された前記カード型周辺機器との間で前記画像データを用いた処理を行う制御部が設けられている、
ことを特徴とする監視カメラ。
【請求項２】
前記開口は前記後面の下端に設けられ、左右に横長に延在していることを特徴とする請求項２記載の監視カメラ。
【請求項３】
前記ケースの後面は、上部側に位置する上部後面と、下端側に位置する下端後面とを有し、前記上部後面は前記下端後面よりも後方に位置しており、前記コネクタは前記上部後面に設けられ、前記開口は前記下端後面に設けられていることを特徴とする請求項１記載の監視カメラ。
【請求項４】
前記ケースには、前記カードスロットに装着された前記カード型周辺機器を取り出すためのイジェクト機構が設けられ、前記イジェクト機構は、前記カードスロットに装着された前記カード型周辺機器を排出させるイジェクトボタンを有し、前記ケースの後面は、上部側に位置する上部後面と、下端側に位置する下端後面とを有し、前記上部後面は前記下端後面よりも後方に位置しており、前記コネクタは前記上部後面に設けられ、前記開口および前記イジェクトボタンは前記下端後面に設けられていることを特徴とする請求項１記載の監視カメラ。
【請求項５】
前記開口は左右に横長に延在し、前記イジェクトボタンは、前記開口の側方の前記下端後面の箇所に設けられていることを特徴とする請求項４記載の監視カメラ。
【請求項６】
前記ケースの後面で前記開口よりも上方の箇所に、前記制御部と外部装置との間で通信を行うためのネットワーク用コネクタが設けられていることを特徴とする請求項１記載の監視カメラ。
【請求項７】
前記ケースの後面を覆うカバーが前記ケースの後部に着脱可能に装着され、前記カバーが上方を向く面には前記電源ケーブルが挿通される切り欠きが設けられていることを特徴とする請求項１記載の監視カメラ。
【請求項８】
前記ケースの前面で前記撮影光学系が前方に臨む箇所より下方の箇所に前記制御部の動作状態を表示するインジケータランプが設けられていることを特徴とする請求項１記載の監視カメラ。
【発明の詳細な説明】
【技術分野】
【０００１】
本発明は監視カメラに関する。
【背景技術】
【０００２】
撮影光学系によって導かれた被写体像を撮像素子によって撮像する監視カメラとして、外装を構成するケースを有し、ケースの上面を上方に向けた状態で構造物に取り付けられるものが提案されている（特許文献１参照）。
このような監視カメラには、撮像素子で生成された撮像信号に基づいて画像データを生成する画像処理部と、撮像素子および画像処理部に電源を供給する電源部とが設けられ、ケースの後面には、電源部に電力を供給する電源ケーブル接続用のコネクタなどが設けられている。
【特許文献１】特開平９−２００５８６号公報
【発明の開示】
【発明が解決しようとする課題】
【０００３】
ところで、このような監視カメラにおいて機能を拡張するために、必要に応じてカード型周辺機器（ＰＣカード）を装着することが考えられる。
その場合、ケースにカード型周辺機器が装脱可能に装着されるカードスロットを設ける必要がある。
一方、このようなカードスロットを設けた場合には、カード型周辺機器の装脱が容易であり、かつ、カード型周辺機器が盗難されにくいことが要請される。
本発明は、このような事情に鑑みなされたもので、その目的は、カード型周辺機器の装脱が容易であり、かつ、カード型周辺機器の存在を隠す上で有利な監視カメラを提供することにある。
【課題を解決するための手段】
【０００４】
上記目的を達成するために本発明は、外装を構成し、前方に臨む前面と、後方に臨む後面とを有するケースと、被写体像を撮像する撮像素子と、前方に臨むように前記ケースに取着され被写体像を前記撮像素子に導く撮影光学系と、前記撮像素子で生成された撮像信号に基づいて画像データを生成する画像処理部と、前記撮像素子および前記画像処理部に電源を供給する電源部と、前記ケースの上面を上方に向けた状態で構造物に取り付けられる監視カメラであって、前記ケースの後部に前記ケースの前後方向に延在しカード型周辺機器を装脱可能に装着するカードスロットが前記ケースの後面の下部に開口して設けられ、前記ケースの後面で前記開口よりも上方の箇所に、前記電源部に電力を供給する電源ケーブル接続用のコネクタが設けられ、前記カードスロットに装着された前記カード型周辺機器との間で前記画像データを用いた処理を行う制御部が設けられていることを特徴とする。
【発明の効果】
【０００５】
本発明によれば、カードスロットに装着されたカード型周辺機器の後端は、ケースの後面に位置し、しかも、コネクタに接続されたケーブルの下方に位置するため、カード型周辺機器の存在を隠す上で有利となり、盗難防止を図る上で有利となる。
また、カードスロットに装着されたカード型周辺機器の後端の上方に、コネクタに接続されたケーブルが位置するため、カード型周辺機器を装脱する際にケーブルが邪魔にならず、カード型周辺機器の装脱を容易に行う上で有利となる。
【発明を実施するための最良の形態】
【０００６】
以下、本発明の実施の形態を図面に基づいて詳細に説明する。
図１は本実施の形態の監視カメラ１０の右側面図、図２は図１のＡ矢視図、図３は図１のＢ矢視図である。
図１乃至図３に示すように、監視カメラ１０は外装を構成するケース１６を有し、ケース１６は上下高さと、高さよりも大きい寸法の左右幅と、左右幅よりも大きな寸法の前後長さを有し、横長のほぼ直方体状に形成され、前方に臨む矩形状の前面１６０２と、後方に臨む矩形状の後面１６０４とを有している。なお、本実施の形態では、左右は、監視カメラ１０の前方（被写体側）から見ていうものとする。
ケース１６の内部には被写体像を撮像する撮像素子１８（図９参照）が設けられている。
被写体像を撮像素子１８に導く撮影光学系２０は鏡筒２２に収容され、鏡筒２２はケース１６の前面１６０２に着脱可能に装着されている。
本実施の形態では、撮影光学系２０はその光軸方向に移動することで撮影倍率を可変とするズームレンズを有するとともに、鏡筒２２には前記ズームレンズを移動させるためのモータなどの駆動源を含むズーム駆動部２４（図９参照）が設けられている。
図１、図２に示すように、ケース１６の前面１６０２で撮影光学系２０が前方に臨む箇所より下方の箇所に、前方および下方に臨む傾斜面１６０２Ａが形成され、この傾斜面１６０６Ａには２つのインジケータランプが並べて設けられている。
それらインジケータランプのうちの１つは、電源のオン、オフを点灯、滅灯によって示すパワーランプ２６であり、他の１つはネットワーク接続動作中か否かを点灯、滅灯によって示すネットワークランプ２８である。
図１に示すように、ケース１６の上面１６０８には、取付金具２を介して取り付けステー４が設けられ、監視カメラ１０は、上面１６０８を上方に向けた状態で取り付けステー４を介して天井６などの構造物に取り付けられる。
図１に示すように、ケース１６の右側面１６１０の前面１６０２寄り箇所にはコネクタ３０が設けられており、このコネクタ３０には前記のズーム駆動部２４に設けられた接続ケーブル３２のケーブル側コネクタ３２０２が接続されている。
【０００７】
図９は監視カメラ１０の制御系の構成を示すブロック図である。
図９に示すように、監視カメラ１０は、画像処理部３４、ドライバ３６、ネットワーク用通信部３８、ネットワーク用コネクタ４０、インターフェース用通信部４２、インターフェース用コネクタ４４、電源部４６、第１コネクタ４８Ａ、第２コネクタ４８Ｂ、オーディオ信号処理部５０、オーディオ入力用コネクタ５２Ａ、オーディオ出力用コネクタ５２Ｂ、ＰＣカード用インターフェース部６０、カードスロット６２、制御部６６などを備えている。
画像処理部３４は撮像素子１８から供給される撮像信号に対して所定の信号処理を行い所定の画像データ（静止画データ、動画データ）を生成するものであり、生成した画像データを制御部６６に供給する。
ドライバ３６は制御部６６の制御に基づいてズーム駆動部２４に駆動信号を供給することで撮影光学系２０の撮影倍率を変化させる。
【０００８】
ネットワーク用通信部３８は、ネットワーク用コネクタ４０とそのネットワーク用コネクタ４０に接続されたネットワーク用ケーブル８０（図４参照）を介して外部装置（サーバなどのホスト装置）に接続され、双方向に通信を行うことで、制御部６６と前記ホスト装置との間で情報の授受を行なうものである。
本実施の形態では、ネットワーク用通信部３８は例えばＬＡＮ、イーサネット（登録商標）によって通信を行う。
前記外部装置に送信する情報としては、画像データや後述するオーディオデータが含まれ、外部装置から受信する情報としては、ズーム率の変更、撮像された画像データの明るさや色調などの調整などを指示する制御コマンド、あるいは、外部装置に入力されたオーディオデータなどが含まれる。
インターフェース用通信部４２はインターフェース用コネクタ４４に接続され、インターフェース用コネクタ４４を介して外部装置と双方向に通信を行うことで、制御部６６と前記外部装置との間で情報の授受を行なうものであり、例えば、監視カメラ１０の保守作業の際に使用される。
【０００９】
電源部４６は第１、第２コネクタ４８Ａ、４８Ｂに接続され、第１、第２コネクタ４８Ａ、４８Ｂを介して外部の電源装置から電源ケーブル８２（図４参照）を介して供給される電力を所定の電圧、電流に調整し、撮像素子１８、ズーム駆動部２４、画像処理部３４、ドライバ３６、ネットワーク用通信部３８、インターフェース用通信部４２、オーディオ信号処理部５０、ＰＣカード用インターフェース部６０、制御部６６などに供給するものである。
本実施の形態では、電源部４６は３種類の電力を選択的に使用可能である。すなわち、第１コネクタ４８Ａを介して供給される交流電力あるいは直流電力、および、第２コネクタ４８Ｂを介して供給されるネットワーク用の電力の３種類の何れか１つを使用する。
【００１０】
オーディオ信号処理部５０は、制御部６６によって制御されオーディオ入力用コネクタ５２Ａとオーディオ出力用コネクタ５２Ｂに接続されている。
オーディオ信号処理部５０は、オーディオ入力用コネクタ５２Ａに接続されたマイクロフォンなどから入力されるオーディオ信号をデジタル信号に変換して制御部６６に供給するとともに、制御部６６から供給されるデジタル信号のオーディオ信号をアナログ信号に変換してオーディオ出力用コネクタ５２Ｂに接続されたスピーカーなどに供給することで音響を発生させる。
【００１１】
ＰＣカード用インターフェース部６０は制御部６６によって制御され、カードスロット６２に装着されたＰＣカード６４との間で通信を行うことにより、制御部６６とＰＣカード６４との間で情報の授受を行ない、あるいは、制御部６６によってＰＣカード６４の動作を制御する。
ＰＣカード６４は、パーソナルコンピュータのカードスロットに装脱されるカード型周辺機器の一つである。
ＰＣカード６４としては、例えば、フラッシュメモリなどの書き換え可能な半導体メモリや書き換え不能な半導体メモリ（ＲＯＭ）などを内蔵するメモリカード、あるいは、無線ＬＡＮによる通信を行う無線ＬＡＮカードなどが使用可能である。
【００１２】
制御部６６は、画像処理部３４、ドライバ３６、ネットワーク用通信部３８、インターフェース用通信部４２、電源部４６、オーディオ信号処理部５０、ＰＣカード用インターフェース部６０、パワーランプ２６、ネットワークランプ２８の制御を行なうものであり、ＣＰＵやＲＯＭ、ＲＡＭ、インターフェース用ＬＳＩを含むマイクロコンピュータを含んで構成されている。
すなわち、制御部６６は、画像処理部３４から供給される画像データや、オーディオ入力用コネクタ５２Ａからオーディオ信号処理部５０を介して入力されるオーディオ信号をネットワーク用通信部３８、ネットワーク用コネクタ４０を介して外部装置に供給する。
また、制御部６６は、外部装置からネットワーク用コネクタ４０、ネットワーク用通信部３８を介して供給される制御コマンドに基づいてドライバ３６を制御してズーム駆動部２４を動作させて撮影光学系２０の撮影倍率を変更する。
また、制御部６６は、外部装置からネットワーク用コネクタ４０、ネットワーク用通信部３８を介して供給される音声データをオーディオ信号処理部５０、オーディオ出力用コネクタ５２Ｂを介してスピーカーに供給して音響を発生させる。
また、制御部６６は、カードスロット６２にメモリカードが装着された場合には、画像処理部３４から供給される画像データや、オーディオ入力用コネクタ５２Ａからオーディオ信号処理部５０を介して入力されるオーディオ信号（オーディオデータ）を前記のメモリカードに記録する。
あるいは、制御部６６は、カードスロット６２に無線ＬＡＮカードが装着された場合には、ホスト装置との間で無線ＬＡＮによる通信を行う。
【００１３】
図１、図３に示すように、ケース１６の後面１６０４は、上部側に位置する上部後面１６２０と、下端側に位置する下端後面１６２２とを有し、上部後面１６２０は下端後面１６２２よりも後方に位置している。
上部後面１６２０には、ネットワーク用コネクタ４０、インターフェース用コネクタ４４、第１コネクタ４８Ａ、第２コネクタ４８Ｂ、オーディオ入力用コネクタ５２Ａ、オーディオ出力用コネクタ５２Ｂが設けられている。
なお、図３、図８において、符号７０はアース端子であり、符号７２は監視カメラ１０の落下を防止するワイヤを取り付けるためのねじであり、符号７４はねじ７２が螺合されるねじ孔である。
ＰＣカード６４が装着されるカードスロット６２は、収容凹部６２０４とカードコネクタ６２０６などを含んで構成され、収容凹部６２０４はケース１６の後部でケース１６の前後方向に延在して設けられている。
カードスロット６２（収容凹部６２０４）の開口６２０２は下端後面１６２２に位置し、したがって、ケース１６の後面１６０４で開口６２０２の上方箇所に各コネクタが位置している。
本実施の形態では、開口６２０２は高さが均一で左右方向に横長に延在している。
図１に示すように、カードコネクタ６２０６は収容凹部６２０４の奥部に設けられている。
また、下端後面１６２２で開口６２０２の右側方の箇所には、イジェクトボタン６２１０が突設されている。
すなわち、カードスロット６２には、カードスロット６２に装着された、ＰＣカード６４を取り出すためのイジェクト機構が設けられ、イジェクト機構は、イジェクトボタン６２１０を押し込むことで、カードスロット６２に装着されたカードスロット６２を排出させるように構成され、このようなイジェクト機構には従来公知の様々な構造が採用可能である。
なお、図１において、符号（イ）は、カードスロット６２に装着されたＰＣカード６４の後端を示し、符号（ロ）は、イジェクトボタン６２１０の操作により突出されたＰＣカード６４の後端を示している。
【００１４】
図４は監視カメラ１０に前カバー１２と後カバー１４が装着された状態を示す右側面図、図５は図４のＡ矢視図、図６は図４のＢ矢視図、図７は図４のＣ矢視図、図８は監視カメラ１０と後カバー１４の斜視図である。
本実施の形態では、図４乃至図８に示すように、ケース１６の前部と後部にそれぞれフロントカバー１２およびリアカバー１４が着脱可能に装着されている。
フロントカバー１２は、図４、図５、図７に示すように、傾斜面１６０２Ａを除いたケース１６の前面１６０２および鏡筒２２の外周を覆うように断面が矩形の筒状に形成され、鏡筒２２の前方に臨む箇所には鏡筒２２の前方を覆う前壁１２０２が形成され、前壁１２０２には、鏡筒２２の外径よりも大きな直径の開口１２０４が形成されている。
リアカバー１４は、図４、図６、図７、図８に示すように、ケース１６の後面１６０４の後面および各種コネクタに接続された各種ケーブル８０、８２の基部並びにカードスロット６２に装着されたＰＣカード６４の後端を覆うように設けられている。
リアカバー１４の後部は軸心を左右に向けた円筒壁１４０２で形成され、この円筒壁１４０２が上方を向く面に各種ケーブル８０、８２が挿通される切り欠き１４０４が形成され、各種ケーブル８０、８２を配設する際に容易に挿通できるようにしている。
さらに、本実施の形態では、図１、図４に示すように、コネクタ３０とケーブル３２０２を覆うサイドカバー１５がケース１６の右側面１６３０に着脱可能に装着されている。
サイドカバー１５は、例えば、ケース１６の右側面１６３０に形成された係合孔１６３２にサイドカバー１５の突起を嵌合させることで取着される。
本実施の形態では、フロントカバー１２によって鏡筒２２を覆うとともに、リアカバー１４によって各種ケーブル８０、８２の基部とＰＣカード６４の後端を覆い、サイドカバー１４によってコネクタ３０とケーブル３２０２を覆うことで監視カメラ１０の美観の向上が図られている。
【００１５】
本実施の形態によれば、カードスロット６２をケース１６の後部でケース１６の前後方向に延在させ、その開口６２０２をケース１６の後面１６０４の下部に配置し、ケース１６の後面１６０４で開口６２０２の上方の箇所に各種のコネクタを配置した。
そのため、カードスロット６２に装着されたＰＣカード６４の後端は、ケース１６の後面１６０４に位置し、しかも、各種コネクタに接続された各種ケーブル８０、８２の下方に位置するため、ＰＣカード６４の存在を隠す上で有利となり、盗難防止を図る上で有利となる。
また、カードスロット６２に装着されたＰＣカード６４の後端の上方に、各種コネクタに接続された各種ケーブル８０、８２が位置するため、ＰＣカード６４を装脱する際にそれらケーブル８０，８２が邪魔にならず、ＰＣカード６４の装脱を容易に行う上で有利となる。
本実施の形態では、各種コネクタに接続された各種ケーブル８０、８２の基部とともにカードスロット６２に装着されたＰＣカード６４の後端を覆うリアカバー１４を設けたので、ＰＣカード６４の存在を隠す上でより一層有利となり、盗難防止を図る上でより一層有利となる。
また、多くの場合、監視カメラ１０の前面には動作状態を表示するインジケータランプ２６、２８が設けられているが、カードスロット６２をケース１６の前部に設けた場合には、それらインジケータランプ２６、２８および鏡筒２２が位置することからケース１６の上下方向あるいは左右方向の寸法が大きくなる。
これに対して本実施の形態では、カードスロット６２をケース１６の後部でケース１６の前後方向に延在させ、カードスロット６２の開口６２０２の上方の箇所に各種のコネクタを配置したので、ケース１６の上下方向および左右方向の寸法を大きくすることなくカードスロット６２を配置でき、監視カメラ１０の小型化を図る上で有利となる。
また、本実施の形態では、各種コネクタが設けられたケース１６の上部後面１６２０がカードスロット６２の開口６２０２が設けられた下端後面１６２２よりも後方に位置し、この下端後面１６２２にイジェクトボタン６２１０を設けたので、監視カメラ１０の前後長さを大きくすることなくイジェクトボタン６２１０を配置でき、監視カメラ１０の小型化を図る上で有利となる。
【００１６】
なお、本実施の形態では、ＰＣカード６４として、メモリカードや無線ＬＡＮカードを例にとって説明したが、ＰＣカード６４の機能はこれらに限定されるものではなく、ＰＣカード６４が監視カメラ１０の動作を設定するための設定データを保持するものであり、そのＰＣカード６４をカードスロット６２に装着することでＰＣカード６２から制御部６６に前記設定データを設定するなど任意である。
【図面の簡単な説明】
【００１７】
【図１】本実施の形態の監視カメラ１０の右側面図である。
【図２】図１のＡ矢視図である。
【図３】図１のＢ矢視図である。
【図４】監視カメラ１０に前カバー１２と後カバー１４が装着された状態を示す右側面図である。
【図５】図５は図４のＡ矢視図である。
【図６】図４のＢ矢視図である。
【図７】図４のＣ矢視図である。
【図８】監視カメラ１０と後カバー１４の斜視図である。
【図９】監視カメラ１０の制御系の構成を示すブロック図である。
【符号の説明】
【００１８】
１０……監視カメラ、１６……ケース、１６０２……前面、１６０４……後面、１８……撮像素子、２０……撮影光学系、３４……画像処理部、４６……電源部、４８Ａ……第１コネクタ、４８Ｂ……第２コネクタ、６２……カードスロット、６２０２……開口、６４……ＰＣカード、６６……制御部。
【図１】
2007150790.tif 000003
【図２】
2007150790.tif 000004
【図３】
2007150790.tif 000005
【図４】
2007150790.tif 000006
【図５】
2007150790.tif 000007
【図６】
2007150790.tif 000008
【図７】
2007150790.tif 000009
【図８】
2007150790.tif 000010
【図９】
2007150790.tif 000011